(57)【要約】  本発明は、正接続要素と負接続要素とを備える接続装置に関する。正接続要素は、基部領域に配置された突出部を有し、負接続要素は、接触面に設けられ、正接続要素の突出部が挿入される窪み部を有し、正接続要素と負接続要素とは、互いに対する回転によって、互いに接続され得る。
2021518278.tif 000002
【特許請求の範囲】
【請求項１】
正接続要素と、
負接続要素と、を備える接続装置であって、
前記正接続要素は、基部領域と、前記基部領域（３）に配置された突出部（５）とを有し、
前記突出部は、ｎ個のペグ（１１ａ、１１ｂ、１１ｃ）を有し、ｎは２以上であり、前記ｎ個のペグは、前記基部領域に垂直な共通の中心軸の周りに配置され、
前記ペグは、それぞれ、前記中心軸に対して半径方向に前記ペグを区切る端面（１３ａ、１３ｂ、１３ｃ）を有し、
前記端面は、前記基部領域に対して９０°未満の少なくとも１つの角度を有し、
前記負接続要素（２）は、接触面（４）有し、前記接触面（４）には窪み部（６）が設けられ、
前記窪み部は、前記窪み部の内壁によって、前記接触面に垂直な窪み軸に対して前記半径方向に区切られ、
前記内壁は、前記窪み軸に対して挿入半径を有するｎ個の挿入部（１０）を有し、
前記内壁は、２ｎ個の保持部を有し、
前記保持部のうちの１つは、前記窪み軸を中心として前記内壁に沿って両方向に前記ｎ個の挿入部のそれぞれに隣接し、
前記内壁は、前記各保持部の前記領域において前記接触面に対して２７０°より大きい角度を有し、前記窪み軸から前記挿入半径より小さい保持間隔と呼ばれる最大間隔を有し、
前記端面と前記中心軸との間隔は、前記挿入半径以下であり、前記保持間隔より大きい、接続装置。
【請求項２】
正接続要素を有する接続装置であって、
前記正接続要素は、基部領域と、前記基部領域に配置された突出部とを有し、
前記突出部は、ｎ個のペグを有し、ｎは２以上であり、
前記ｎ個のペグは、前記基部領域に垂直な共通の中心軸の周りに配置され、
前記ペグは、それぞれ、前記中心軸に対して半径方向に前記ペグを区切る端面を有し、
前記端面は、前記基部領域に対して９０°未満の少なくとも１つの角度を有し、
前記ペグの前記基部領域は、周方向にそれぞれの端面の中心に関して対称である、接続装置。
【請求項３】
負接続要素を有する接続装置であって、
前記負接続要素は、接触面を有し、前記接触面には窪み部が設けられ、
前記窪み部は、窪み部の内壁によって、前記接触面に垂直な窪み軸に対して半径方向に区切られ、
前記内壁は、前記窪み軸に対して挿入半径を有するｎ個の挿入部を有し、ｎは２以上であり、
前記内壁は、２ｎ個の保持部を有し、
前記保持部の一方は、前記窪み軸を中心として前記内壁に沿って両方向にｎ個の挿入部のそれぞれに隣接し、
前記内壁は、前記各保持部の前記領域において前記接触面に対して２７０°より大きい角度を有し、前記窪み軸から前記挿入半径より小さい保持間隔と呼ばれる最大間隔を有する、接続装置。
【請求項４】
前記ペグは、それぞれ、前記中心軸に関する周方向に前記対応する端面の中心に関して対称である、請求項１又は２に記載の接続装置。
【請求項５】
それぞれ隣接する全てのペグ及び／又はそれぞれ隣接するペグの前記端面の全ての中心は、互いに対して前記中心軸を中心に同じ角度を有する、請求項１、２及び４のいずれか１項に記載の接続装置。
【請求項６】
全ての端面は、前記中心軸に関してｎ倍の回転対称で共に延在する、請求項１、２、４及び５のいずれか１項に記載の接続装置。
【請求項７】
前記基部領域に対して前記端面が有する角度は、前記端面の中心から前記端面の縁部まで前記中心軸に関する周方向に減少する、請求項１、２及び４〜６のいずれかに１項に記載の接続装置。
【請求項８】
全ての前記端面は、共通の円形線に平行に延在する、請求項１、２及び４〜７のいずれか１項に記載の接続装置。
【請求項９】
前記基部領域は円周を有する、請求項１、２及び４〜８のいずれか１項に記載の接続装置。
【請求項１０】
前記保持部の領域において前記接触面に対して前記内壁が有する角度は、前記対応する保持部に隣接するそれぞれの挿入部分から始まり増加する、請求項１又は３に記載の接続装置。
【請求項１１】
前記内壁は、停止領域を有し、前記停止領域は、前記内壁が前記保持部において前記内壁と前記窪み軸との最小間隔より小さい前記窪み軸からの間隔を有し、前記停止領域は、対応する前記保持部によって隣接する前記挿入部と反対側で前記保持部のそれぞれに隣接する、請求項１、３及び１０のいずれか１項に記載の接続装置。
【請求項１２】
前記接触面は円周を有する、請求項１、３、１０及び１１のいずれか１項に記載の接続装置。
【請求項１３】
前記負接続要素は成形要素を有し、
前記成形要素は、円筒壁によって区切られ、その円筒軸は前記接触面に垂直であり、前記円筒壁は前記接触面が延在する平面を越えて突出し、
前記正接続要素は、前記中心軸の周りに開口部を有し、前記開口部の内径は、前記円筒壁の外径に等しい、請求項１及び４〜１２のいずれか１項に記載の接続装置。
【請求項１４】
前記正接続要素は、前記突出部と反対側の前記基部領域に研磨手段を有し、又は、前記負接続要素は、前記窪み部と反対側に研磨手段を有する、請求項１及び４〜１３のいずれか１項に記載の接続装置。
【発明の詳細な説明】
【技術分野】
【０００１】
本発明は、正接続要素と負接続要素とを有する接続装置に関する。正接続要素は、基部領域に配置された突出部を有し、負接続要素は、接触面に設けられ正接続要素の突出部が挿入され得る窪み部を有する。正接続要素と負接続要素とは、互いに対して回転させることによって、互いに接続され得る。
【背景技術】
【０００２】
設定時間の最小化は、継続的な改善プロセスの典型的な目的である。したがって、特に、工具の迅速な交換のための解決策が求められている。位置決め部材と工具との間の工作機械のインターフェースは、工具クランプシステムとして知られている。工具クランプシステムは、精度、回転方向、バランス品質、力及びモーメントの伝達などすべての技術的要件を満たさなければならない。
【０００３】
取り外し可能な接続（例えば、ネジ）による工具の工具コンセントへの接続は、一般的な技法である。別の解決策は、ネジ輪郭を有する急動締結具である。前記締結方法は、回転による緩みを防止するために、前記ネジ輪郭に起因して回転方向を強制する。ネジ輪郭は、不均衡を補正する必要性をもたらす。
【０００４】
ＤＥ１０２０１５１１０１１５及びＥＰ３１０８９９９は、前述のネジ輪郭を利用し、矩形面の中心の外側の矩形体に取り付けられる工作物を加工するための装置を開示している。オフセンター設計は、加工プロセス中の接続要素の固定につながる。
【０００５】
１０２０１６００００２６５８４は、１２０°の角度で３回点対称にオフセットされた同様のネジ輪郭を開示している。この実施例は、基部領域にネジ輪郭の数に対応し、ロックに使用される放射状溝を有する。ロックは、対応物に順番に設けられた球形弁片によってもたらされる。
【０００６】
さらに、プラグイン連結として知られるものが存在する。軸方向の緩みは、円形に配置されたボール要素又は横ボルトによって固定され、このボール要素は、通常のバネ式の変位可能なスリーブによって解放及び固定することができ、対応物の対応する溝に圧入される。モーメントの伝達は、横ボルト又は対応する対応物を有する非回転対称要素（例えば、六角形）によって行うことができる。このタイプの工具締結は、工具側にアダプタの取り付けを必要とする。
【０００７】
さらに、ＥＰ２０１３０１８６８６７のようなプラグイン接続、又は、とりわけ、ＥＰ１９１００２４のような回転を防ぐためのガイドストリップも有するネジ接続が存在する。
【０００８】
さらに、クリップ連結として知られているものが特に衛生工学の分野で使用されている。機能原理は、回転によって互いに接続された２つの対向するクリップの相互係合に基づいている。緩みを防ぐために、クリップにはかかりが設けられている。かかりは所定の位置に固定される必要があることから、接続は軸方向に弾性である必要がある（例えば、シール、スプリング）。
【０００９】
カメラとレンズとを連結する場合、バヨネット締結具が使用される。レンズは、回転させることによって、カメラのレンズ容器に接続される。レンズは、通常、６０〜９０°の回転で所定の位置に固定される。レンズを解放するためには、レンズのロックを解除する作動ボタンが必要である。
【００１０】
また、回転締結は、ツイストオフスクリューリッドとも呼ばれ、保存瓶にねじ込む際に使用される。回転リッドは、ＤＩＮ  ＥＮ  ＩＳＯ ９１００に準拠して標準化されている。スクリューリッドとは対照的に、閉鎖後にバネ張力を受けるラグは、容器を確実に閉める。
【発明の概要】
【発明が解決しようとする課題】
【００１１】
本発明の目的は、接続装置を示すことである。接続装置は、回転軸に関する両方向のトルクが一方の接続要素から他方の接続要素に伝達され得るように、２つの接続要素が回転によって互いに接続され得るように構成される。
【課題を解決するための手段】
【００１２】
前記目的は、請求項１、２及び３に記載の接続装置によって達成される。各従属項は、本発明による接続装置の有利な改良を示している。
【００１３】
本発明によれば、正接続要素と呼ばれる第１の接続要素と、負接続要素と呼ばれる第２の接続要素とを有する接続装置が提供される。
【００１４】
正接続要素は、突出部が配置される基部領域を有する。この場合、突出部は、有益には、基部領域に肩部を形成することができる。特に、突出部は、基部領域にメサ状に形成することができる。有益には、基部領域を実質的に平坦にすることができる。
【００１５】
本発明によれば、突出部はｎ個のペグを有し、ｎは２以上の整数である。ｎ個のペグは、本明細書では、基部領域に垂直な共通の仮想中心軸の周りに配置される。ペグは、それぞれ、中心軸に対して半径方向に前記ペグを区切る端面を有する。
【００１６】
１つの有益な構成では、ペグは、それぞれ、半径方向に区切られた角度範囲において、突出部の基体又は中央領域を越えて突出する突出部の部分として構成することができる。
【００１７】
本発明によれば、ペグの端面は、それぞれ、基部領域に対して９０°未満の少なくとも１つの角度を有する。したがって、端面は、それぞれ、基部領域を有する少なくとも鋭角を形成する。その結果、突出部の一部は、基部領域を越えて突出することもできる。この角度は、本明細書では、半径方向外向きの角度とすることができ、したがって、角度は、接続要素の外側になる。突出部は、有益には、中心軸を有する中央領域を有してもよく、特に有益には、中心軸に関して円形に延在する縁部を有する。ペグは、前記縁部に配置され、前記縁部を越えて突出することができる。
【００１８】
ペグは、有益には、周方向において端面の端部にそれぞれ当接する半径方向側面を有する。同じペグの半径方向側面は、それぞれ、中心軸に対し、好ましくは５°以上、特に好ましくは１０°以上、特に好ましくは１５°、及び／又は２５°以下、特に好ましくは２０°以下の角度を有する。この構成では、端面と中心軸との間隔と共に、それぞれのペグの側面の間の角度は、中心軸に関する周方向における端面の長さを決定する。
【００１９】
特に有益には、突出部の中央領域は中心軸に関する円周を有し、各ペグは半径方向側面によって中央領域の縁部に亘って延在し、端面は円形線に沿って前記側面間を延在する。有益には、基部領域と反対側の突出部の表面は、基部領域のコースに平行及び／又は平坦である。
【００２０】
本発明によれば、負接続要素は接触面を有し、接触面には窪み部が設けられている。接触面は、接続状態において、正接続要素の基部領域に当接するように設けられている。したがって、接触面は、有益には、接続状態において、負接続要素に対向する正接続要素の基部領域に平行に延在するように構成することができる。接触面は、特に好ましくは平坦でもよい。
【００２１】
本発明によれば、窪み部は、窪み部の内壁によって、接触面に垂直な窪み軸に対して半径方向に区切られている。本明細書において、窪み部の内壁は、有益には、窪み部の底面から接触面まで延在することができる。本明細書に記載される軸は、方向の目的のための仮想軸として理解されることが意図される。
【００２２】
本発明によれば、内壁は、ｎ個の挿入部、好ましくは正確にｎ個を有し、これらの挿入部は、それぞれ、窪み軸に対して挿入半径を有する。したがって、挿入半径は、挿入部の領域における内壁と窪み軸との間隔である。本明細書では、ｎは２以上の数である。本発明によれば、内壁は、２ｎ個の保持部、好ましくは正確に２ｎ個を有し、保持部の１つは、窪み軸を中心とする内壁に沿った両方向にｎ個の挿入部のそれぞれに隣接する。したがって、保持部の１つは、窪み軸に関する両周方向において各挿入部に隣接してもよい。
【００２３】
各保持部の領域において、内壁は、接触面に対して２７０°より大きい角度を有する。本明細書では、例えば、窪み部が存在せず、窪み軸の方向に上向きの負接続要素の表面の領域を接触面と考えることができる。窪み部が底面によって底部で区切られている場合、内壁は、したがって、９０°未満の角度、すなわち、鋭角を有することができ、前記底面は、各保持部の領域内にある。本明細書において有益に意味されるのは、負接続要素の外側にある角度である。本明細書において、底面は、有益には、接続状態において、正接続要素の突出部の表面に平行に延在し及び／又は平坦であるように構成することができる。底面は、任意に、底面に設けられた構造を有することができ、その結果、この場合の底面は、このタイプの構造の外側の領域において、平行に延在し及び／又は突出部の表面に平行である。
【００２４】
各保持部の領域において、内壁は、窪み軸からの保持間隔と呼ばれる最大間隔を有する。最大間隔は、挿入半径、すなわち、挿入部における内壁と窪み部との間隔より小さい。有益には、保持間隔は、内壁が接触面に隣接する点における保持部の領域における内壁の間隔とすることができる。
【００２５】
正接続要素が負接続要素に接続された状態では、ペグの端面と中心軸との間隔が挿入半径以下であることが意図される。その結果、挿入部でペグを窪み部に挿入することができる。さらに、ペグの端面と中心軸との間隔は、記載された保持間隔より大きくなるように意図されている。最初に、ペグが保持部の領域において窪み部の内壁に位置するように、ペグが挿入部で窪み部に挿入され、次に、正接続要素が負接続要素に対して回転されると、正接続要素の突出部が窪み部に保持される。保持部が両側の挿入部にそれぞれ隣接しているという事実により、このような保持状態は、窪み軸又は中心軸に関する両方向に負接続要素に対して正接続要素を回転させることによって達成することができる。
【００２６】
本発明の１つの有益な構成では、ペグの端面、及び、有益には、ペグ自体は、それぞれ、中心軸に関する周方向に、それぞれの端面の中心に関して対称とすることができる。この場合、特に対応するペグの側面が延在するその角度の角度二等分線である角度、又は、端面が延在する円周に沿った任意の線分の中心は、例えば、端面の中心であると考えることができる。
【００２７】
本発明の１つの有益な構成では、それぞれ隣接する全てのペグは、互いに対して同じ角度を有することができる。特に、それぞれ隣接するペグの端面のすべての中心は、互いに対して中心軸に対して同じ角度を有することができる。これに対応して、それぞれ隣接する挿入部及び／又は隣接する挿入部の中心は、窪み軸に対して同じ角度を有することができる。この構成において、回転用途に対して不均衡のない接続装置を実現することができる。
【００２８】
本発明の１つの有益な構成では、ペグの端面は、中心軸に関してｎ倍の回転対称に延在することができる。これに対応して、負接続要素の挿入部は、また、窪み軸に関してｎ倍の回転対称に延在することができる。この構成によって、また、回転用途に対しても不均衡のない接続装置を実現することができる。
【００２９】
本発明の１つの有益な構成では、基部領域に対して端面が有する角度は、中心軸に関する周方向に、端面の中心から端面の縁部まで減少することもある。この構成では、接触面又は任意に窪み部の側面に対して保持部が有する角度は、一定であってもよい。端面の角度を変えることによって、正接続要素を窪み部に固定することができる。
【００３０】
有益には、ペグの全ての端面は、共通の円形線に平行に延在することもできる。特に好ましくは、全ての端面は、基部領域から所定の距離で見たときに、共通の円形線に延在する。
【００３１】
本発明の１つの有益な構成では、基部領域は、円周を有することができるが、例えば、正方形又は長方形などの他の周形状も可能である。
【００３２】
本発明の１つの有益な構成では、対応する保持部に隣接するそれぞれの挿入部から見て、保持部の領域において接触面に対して窪み部の内壁が有する角度は、増加することもある。窪み部が底部によって区切られる底面を有する場合、同様の方法によって、保持部の領域において前記底面に対して内壁が有する角度は、それぞれの挿入部から始まり減少することができる。この構成によって、挿入部の領域に挿入された後の窪み軸又は中心軸に対する回転によって正接続要素が固定される。
【００３３】
本発明の１つの有益な構成では、それぞれの保持部に隣接する窪み部の内壁は、停止領域を有することができる。この場合、停止領域は、対応する保持部に隣接する挿入部と反対側の端面においてそれぞれの保持部を区切ることができる。この停止領域の領域において、内壁は、対応する保持部の領域における内壁と窪み軸との最小間隔より小さい窪み軸からの間隔を有することができる。正接続要素の対応するペグは、挿入領域に挿入された後及び当該保持領域を通過した後に、正接続要素が負接続要素に対して回転すると、この停止領域に当接することができる。その結果、過回転が防止される。
【００３４】
１つの有益な構成では、接触面は、円周を有することができるが、接触面は、正方形若しくは長方形、又は、異なる形状の周形状を有することも可能である。
【００３５】
特に有益には、負接続要素は、成形要素を有することができる。成形要素は、円筒壁によって半径方向に区切られ、円筒壁の円筒軸は、接触面に垂直であり、接触面が延在する平面を越えて突出する。前記成形要素の円筒軸は、窪み軸と同軸であることが好ましい。次いで、正接続要素は、同様の方法で中心軸の周りに開口部を有することができ、その内径は、円筒壁の外径と同一である。代替方法として、正要素は成形要素であってもよく、成形要素は、円筒壁によって区切られ、その円筒軸は、基部領域に対して垂直であり、成形要素は突出部の表面を越えて突出する。円筒軸は、中心軸に対して同軸であることが好ましい。その場合、負接続要素は、窪み軸の周りに開口部を有することができ、開口部の内径は、成形要素の円筒壁の外径と同一である。
【００３６】
本発明の１つの特に有益な構成では、正接続要素は、突出部と反対側の基部領域に研磨手段を有することができ、又は、負接続要素は、窪み部と反対側に研磨手段を有することができる。有益には、接続装置は、工具クランプシステムとして構成することができる。
【００３７】
本発明の１つの有益な構成では、負接続要素に対する正接続要素の許容回転方向を選択するためのピンを挿入することができる孔を窪み部の底部に設けることもできる。この場合、正接続要素が負接続要素に挿入されたとき、孔に挿入されたピンがペグの側面の１つに突き当たるように、孔は配置されることが好ましい。有益には、孔と窪み軸との間隔は、内壁と窪み軸との間隔より小さいが、任意に設けられた正接続要素の中央領域と中心軸との間隔より大きい。
【００３８】
本発明は、両方向に回転させることによって、２つの接続要素を接続可能にする。有益な対称構造によって、本発明は、回転する実施例の場合、重心が中心軸又は窪み軸に対応することができる回転軸上にあることとから、重心又は不均衡に関して有益である。
【００３９】
図面の発明は、以下の例によって説明されることが意図される。また、図示の特徴は、特定の図とは独立して実現されてもよく、異なる図の間で組み合わされてもよい。同じ参照符号は、同一又は対応する特徴を示す。
【図面の簡単な説明】
【００４０】
【図１】図１は正接続要素の斜視図を示す。
【図２】図２は正接続要素の平面図を示す。
【図３】図３は図２に示された正接続要素の断面図を示す。
【図４】図４は負接続要素の斜視図を示す。
【図５】図５は負接続要素の平面図を示す。
【図６】図６は負接続要素の側面図を示す。
【図７】図７は負接続要素の平面図を示す。
【図８】図８は互いに垂直な２つの断面図を有する負接続要素の平面図を示す。
【発明を実施するための形態】
【００４１】
図１及び図２は、本発明に係る正接続要素を示す。正接続要素１は、図示の例では、円周を有し、平面状の基部領域３を有する。突出部５が基部領域３に配置されている。突出部５及び基部領域３は、中心貫通開口部７を有する。中心貫通開口部７は、図示の例では、中心軸に関する円形として構成されている。基部領域３及び突出部の中央領域９は、中心軸に対して半径方向に対称的に延在する。
【００４２】
図示の例では、突出部５は、共通の中心軸の周りに配置された３つのペグ１１ａ、１１ｂ、１１ｃを有する。本明細書において、共通の中心軸は、基部領域３に垂直な仮想軸である。
【００４３】
各ペグは、中心軸に対して半径方向に前記ペグ１１ａ、１１ｂ、１１ｃを区切る端面１３ａ、１３ｂ、１３ｃを有する。
【００４４】
端面１３ａ、１３ｂ、１３ｃは、それぞれ、基部領域３に対して９０°未満の角度、すなわち、鋭角を有する。
【００４５】
中央領域９及び端面１３ａ、１３ｂ、１３ｃは、それらのコースにおいて、中心軸が延在する中心点を通る円形形状に倣う。突出部５は、ペグ１１ａ、１１ｂ、１１ｃの領域において、それらの間の中央領域９の領域よりも、中心軸に対して半径方向の広がりが大きい。
【００４６】
ペグ１１ａ、１１ｂ、１１ｃは、それぞれ、２つの側面１５ａａ、１５ａｂ、１５ｂｂ、１５ｂａ、１５ｃｂ、１５ｃａを有する。図示の例では、これらの側面は、同じペグ１１ａの側面１５ａａ、１５ａｂがそれぞれ互いに平行になるように延在する。しかしながら、側面１５ａａ、１５ａｂ、１５ｂｂ、１５ｂａ、１５ｃｂ、１５ｃａは、それぞれ、中心軸に対して半径方向に延在することも有益である。この場合、同じペグ１１ａの側面１５ａａ、１５ａｂは、それぞれ、例えば、１５°の角度を有することができる。本明細書において、単一のペグ１１ａについて記載する場合、その記載は、他のペグ１１ｂ及び１１ｃにも有益に且つ相応して適用される。
【００４７】
図１に示す例では、突出部５は多数の凹部１７を有する。この凹部の間には、支柱が形成されている。凹部１７は、任意であり、接続要素の重量を減らす役割を果たす。
【００４８】
図示の例では、ペグ１１ａ、１１ｂ、１１ｃは、それぞれ、中心軸に関する周方向に対応する端面１３ａ、１３ｂ、１３ｃの中心に関して対称である。さらに、ペグ１１ａ、１１ｂ、１１ｃは、それぞれ隣接するすべてのペグ１１ａ、１１ｂ、１１ｃ及び／又はそれぞれ隣接するペグの端面１３ａ、１３ｂ、１３ｃのすべての中心が互いに中心軸に対して同じ角度を有するように、周方向に等距離で配置される。前記角度は、３つのペグを有する図１に示す例では、一般的に、３６０°／ｎ、すなわち、１２０°に等しいことが有益である。端面１３ａ、１３ｂ、１３ｃは、中心軸に対して３倍の回転対称で共に延在していることがわかる。
【００４９】
基部領域３に対して端面１３ａ、１３ｂ、１３ｃが有する角度は、中心軸に関する周方向に端面１３ａ、１３ｂ、１３ｃの中心から端面の端部まで有益に減少することができる。このような特徴は、オプションであり、図１には示されていない。
【００５０】
図３は、図２に示す断面線Ａ−Ａに沿った断面を示す。この断面は、ペグ１１ｃと貫通開口部７によって貫通されている中央領域９とを通って延在する。図２に示す側面と反対側の正接続要素の側面には、構造１９、本明細書では、窪み部１９が設けられている。この窪み部１９は中心軸を円形状に取り囲み、接続要素１が工具クランプシステムの一部として使用される場合に、例えば、研磨手段を窪み部に配置することができる。このような種類の研磨手段は、例えば、ＤＥ１０２０１６２２０７６６．０に示されるように構成されてもよい。
【００５１】
図４は本発明に係る負接続要素２の斜視図を示す。図５は対応する平面図を示す。本明細書において、負要素２は接触面４を有する。接触面４には、窪み部６が設けられている。図示の例では、窪み部６は、底面８によって底部で区切られる。
【００５２】
窪み部６は、窪み部の内壁１０によって、接触面４に垂直な窪み軸に対して半径方向に区切られる。本明細書において、窪み軸は、内壁１０によって取り囲まれた仮想軸である。図示の例では、負接続要素２は円周を有し、その結果、窪み軸は前記円周の中心点を通って延在する。
【００５３】
図示の例では、内壁１０は、３つの挿入部１２ａ、１２ｂ、１２ｃを有する。これらの挿入部は、窪み軸に対していわゆる挿入半径を有する。さらに、内壁１０は、６つの保持部１４ａａ、１４ａｂ、１４ｂａ、１４ｂｂ、１４ｃａ、１４ｃｂを有する。これらの保持部は、保持部１４ａａ、１４ａｂ、１４ｂａ、１４ｂｂ、１４ｃａ、１４ｃｂのうちの１つが、窪み軸を中心に内壁１０に沿って両方向に３つの挿入部１２ａ、１２ｂ、１２ｃのそれぞれに隣接するように配置される。これにより、例えば、挿入部１２ａは、反時計回りに保持部１４ａａに、時計回りに保持部１４ｂに隣接する。他の挿入部１２ｂ、１２ｃについても同様である。
【００５４】
内壁１０は、各保持部１４ａａ、１４ａｂ、１４ｂａ、１４ｂｂ、１４ｃａ、１４ｃｂの領域において、接触面４に対して２７０°より大きい角度を有する。これに対応して、内壁１０は、実施例に示される底面８に対して９０°未満の角度を有する。
【００５５】
さらに、各保持部１４ａａ、１４ａｂ、１４ｂａ、１４ｂｂ、１４ｃａ、１４ｃｂの領域において、内壁１０は、窪み軸から以下に保持間隔と呼ばれる最大間隔を有する。この最大間隔は、挿入部１０の領域における挿入半径より小さい。図４に示される負接続要素２が図１〜３に示される正接続要素１への接続のために構成される場合、正接続要素１の端面１３ａ、１３ｂ、１３ｃと前記正接続要素の中心軸との間隔は、挿入半径以下であり、前記保持間隔より大きい。
【００５６】
図示の例では、内壁１０は、保持部１４ａａ、１４ａｂ、１４ｂａ、１４ｂｂ、１４ｃａ、１４ｃｂのそれぞれに隣接する停止領域１６ａ、１６ｂ、１６ｃを有する。これらの停止領域は、内壁１０が保持部１４ａａ、１４ａｂ、１４ｂａ、１４ｂｂ、１４ｃａ、１４ｃｂの領域における内壁１０と窪み軸との最小間隔より小さい窪み軸からの間隔を有する領域に設けられている。
【００５７】
図４に示す構成は、それぞれ、停止領域１６ａと、第１保持部１４ａａと、挿入領域１２ａと、第２保持領域１４ａｂと、第２停止領域１６ｂとを備える内壁１０の部分領域が対応する挿入領域１２ａの中心に関する周方向に対称となるように設計されている。挿入領域１２ｂ、１２ｃについても同様である。
【００５８】
図示の例では、負接続要素２は、円筒状の外壁２０によって区切られた成形要素１８を有する。この成形要素の円筒軸は、接触面４に垂直である。成形要素は、接触面４が延在する平面を超えて突出する。これは、図６の側面図で特によく分かる。図４に示す負接続要素２が図１〜図３に示す正接続要素１への接続のために設けられる場合、成形要素１８を正接続要素１の貫通開口部７に挿入することができ、その結果、センタリング作業を簡単にすることができる。また、正接続要素１の貫通開口部７は、対応して、円筒壁２の外径と同一の内径を有することができる。図示の例では、成形要素１８は、例えば、駆動軸を受け入れるために設けることができる中央開口部２２を有する。
【００５９】
保持部１４ａａ、１４ａｂ、１４ｂａ、１４ｂｂ、１４ｃａ、１４ｃｂの領域において、接触面４に対して内壁１０が有する角度は、図４及び図５に示す例では、それぞれの挿入部１２ａ、１２ｂ、１２ｃから始まり増加する。このようにして、正接続要素１のペグ１１ａ、１１ｂ、１１ｃは、それぞれ、停止領域１６ａ、１６ｂ、１６ｃに当接するまで、ここで固定することができる。これは、正接続要素１が負接続要素２に対して両方向に回転している場合に分かる。
【００６０】
底面８には、孔２０ａｂ、２０ｂａ、２０ｂｂ、２０ｃａ、２０ｃｂが設けられている。この孔には、負接続要素に対して正接続要素を回転させることができる回転方向を選択するためのピンを挿入することができる。前記孔は、それぞれ、保持領域１４ａａ、１４ａｂ、１４ｂａ、１４ｂｂ、１４ｃａ、１４ｃｂの前に対応して配置される。
【００６１】
図７は、図４〜図６に示された接触面４と反対側の負接続要素２の平面図を示す。負接続要素２が正接続要素１に接続されている状態では、図７に示されている側面は、正接続要素１と反対側を向いている。負接続要素２は、例えば、駆動軸を挿入する目的で設けることができる中央開口部７２を有することが分かる。さらに、前記表面は、駆動又はトルク伝達要素を導入することができる多数のさらなる孔７４を有する。このようにして、接続装置は、例えば、バリ取り加工のような回転用途のための工具クランプシステムとして使用することができる。
【００６２】
図８は、断面軸Ａ−Ａに沿った断面図、断面軸Ｂ−Ｂに沿った断面図、及び、図４〜図７に示された負接続要素２を再度示す。接触面４と反対側に設けられた孔７４と開口部７３とが見られる。断面Ａ−Ａは、停止領域１６ｃ及び挿入領域１２ｂを通る。断面Ｂ−Ｂは、一方では保持領域１４ａｂを通り、他方では保持領域１４ｃａを通る。図８に示すさらなる特徴に関しては、図４〜図７に関する説明を参照されたい。
【００６３】
要約すると、装置は、２つの接続要素から構成されると考えることができる。接続要素が軸方向に接続され、次いで回転すると、形成嵌合接続が行われる。回転運動に応じて、接続要素の対称設計により、所望の回転方向に対応した接続が実現できる。対称的な設計は、重心が常に回転軸上に存在できることから、特に、不均衡に関して有益である。
【００６４】
接続領域において、要素は、例えば、１５°の角度を有する楔形の幾何形状を有することができる。ここで、２つの接続要素のうちの１つは、相補的な楔形の幾何形状を有することができる。一方の接続要素の楔形の輪郭は、回転対称に構成することができるが、他方の接続要素は、確実又は安定接続を実現するために、接続領域において、テーパ形状の輪郭を有することが有益である。
【００６５】
接続の過回転を防止するために、ネジ、リベット、又は、材料の蓄積の形態の過回転防止要素を使用することができる。誤った回転方向での接続は、ネジ、リベット、又は、材料の蓄積の形態によって、同様に防止することができる。
【００６６】
接続要素の意図しない緩みは、例えば、追加の固定要素によって防止することができる。固定素子は、例えば、戻り止め部品、圧力素子などのロック要素の形成で構成することができる。
【００６７】
接続要素の孔、プレスされたレリーフ等の形状の窪みは、装置を開閉するために使用することができる。
【図１】
2021518278.tif 000003
【図２】
2021518278.tif 000004
【図３】
2021518278.tif 000005
【図４】
2021518278.tif 000006
【図５】
2021518278.tif 000007
【図６】
2021518278.tif 000008
【図７】
2021518278.tif 000009
【図８】
2021518278.tif 000010
【国際調査報告】
2021518278.tif 000011
2021518278.tif 000012
2021518278.tif 000013
2021518278.tif 000014